(57)【要約】【課題】ロータに巻かれたコイルのコイルエンドがロータの回転時における遠心力によって変形するのを防止するロータを提供する。【解決手段】固定部材２０は、ロータコア１０の円環状の端部１０ａに沿って異なる複数の位置でコイルエンド１２を縛って結束する糸である複数の結束部２１と、結束部２１に係合する環形状の複数の糸からなる引き寄せ部２２とを備えている。複数の結束部２１を、ロータコア１０の端部に沿って数個飛ばしで複数のグループに分け、引き寄せ部２２が、各グループを構成する結束部２１に係合して、各結束部２１をロータコア１０の径方向内側に向かって引き寄せている。【選択図】図１
2016034195.tif 000002
【特許請求の範囲】
【請求項１】
ロータコアと、
該ロータコアに巻かれたコイルと、
前記ロータコアの両端部から突出した前記コイルの一部であるコイルエンドを固定する固定部材と
を備え、
該固定部材は、
前記コイルエンドを複数の個所で結束する複数の結束部と、
該複数の結束部を前記ロータコアの径方向内側に向かって引き寄せる引き寄せ部と
を備えるロータ。
【請求項２】
前記引き寄せ部は環形状である、請求項１に記載のロータ。
【請求項３】
前記ロータは、第２のロータの径方向内側に位置する、請求項１または２に記載のロータ。
【発明の詳細な説明】
【技術分野】
【０００１】
この発明は、ロータに係り、特に、コイルが巻かれたロータに関する。
【背景技術】
【０００２】
一般的なモータは、ステータと、回転可能なロータとを備え、ステータにはコイルが巻かれ、ロータには磁石が設けられている。このようなモータのステータにおいて、ステータコアの両端部からコイルの一部（コイルエンド）が突出している。コイルエンドは、糸で縛りワニスで固めることにより固定されている。ロータにコイルが巻かれている構成のモータでも、ロータコアの両端部から突出するコイルエンドをガラス繊維等で縛って固定することが、特許文献１等に開示されている。
【先行技術文献】
【特許文献】
【０００３】
【特許文献１】特開平８−８０００４号公報
【発明の概要】
【発明が解決しようとする課題】
【０００４】
しかしながら、ロータにコイルが巻かれている構成のモータでは、ロータの回転による遠心力の大きさによっては、ロータの半径方向外方に向かってコイルエンドが広がるように変形してしまい、変形したコイルエンドの一部が、ロータの半径方向外方に位置するモータの構成部品、例えばステータに接触してしまい、コイルが損傷してしまうおそれがあった。
【０００５】
この発明はこのような問題点を解決するためになされたもので、ロータに巻かれたコイルのコイルエンドがロータの回転時における遠心力によって変形するのを防止するロータを提供することを目的とする。
【課題を解決するための手段】
【０００６】
この発明に係るロータは、ロータコアと、ロータコアに巻かれたコイルと、ロータコアの両端部から突出したコイルの一部であるコイルエンドを固定する固定部材とを備え、固定部材は、コイルエンドを複数の個所で結束する複数の結束部と、複数の結束部をロータコアの径方向内側に向かって引き寄せる引き寄せ部とを備える。
引き寄せ部は環形状であってもよい。
ロータは、第２のロータの径方向内側に位置してもよい。
【発明の効果】
【０００７】
この発明によれば、ロータのコイルエンドを複数の個所で結束する複数の結束部を、引き寄せ部がロータコアの径方向内側に向かって引き寄せることにより、コイルエンドがロータの回転時における遠心力によって変形するのを防止することができる。
【図面の簡単な説明】
【０００８】
【図１】この発明の実施の形態に係るロータを備えたモータの平面図である。
【図２】この実施の形態に係るロータの固定部材の一部を示す平面図である。
【図３】この実施の形態に係るロータの固定部材の変形例の平面図及び段面図である。
【図４】この実施の形態に係るロータの固定部材の変形例がコイルエンドを固定している状態を示す断面図である。
【発明を実施するための形態】
【０００９】
以下、この発明の実施の形態を添付図面に基づいて説明する。
図１には、ロータ１と、ロータ１の径方向外側に位置する第２のロータ２と、第２のロータ２の径方向外側に位置するステータ３とからなるダブルロータモータ４が模式的に示されている。ロータ１は、ロータコア１０を有し、ロータコア１０に巻かれたコイル１１の一部がロータコア１０の両端部（図１は、片側の端部１０ａのみ図示されている）から突出して、コイルエンド１２が構成されている。コイルエンド１２は、固定部材２０によって固定されている。
【００１０】
固定部材２０は、ロータコア１０の円環状の端部１０ａに沿って異なる複数の位置でコイルエンド１２を縛って結束する糸である複数の結束部２１と、結束部２１に係合する環形状の複数の糸からなる引き寄せ部２２とを備えている。複数の結束部２１を、ロータコア１０の端部に沿って数個飛ばしで複数のグループに分け、引き寄せ部２２が、各グループを構成する結束部２１に係合して、各結束部２１をロータコア１０の径方向内側に向かって引き寄せている。尚、図１に図示されていないが、ロータコア１０のもう一方の端部にも、固定部材２０が設けられている。
【００１１】
図２には、固定部材２０の一部、すなわち、上記１つのグループを構成する６つの結束部２１と、引き寄せ部２２を構成する１つの糸とを示したロータ２の平面図を示している。固定部材２０は、６つの結束部２１及び１つの引き寄せ部２２からなるこの構成を３つ、角度をずらして重ね合わせて構成されている。
【００１２】
引き寄せ部２２を構成する糸は、結束部２１を設けた後、同じグループの各結束部２１に係合させて、所定の張力で各結束部２１をロータコア１０の径方向内側に向かって引き寄せるようにして、六角形の環形状の構成が形成される。所定の張力とは、ロータ１が回転したときにコイルエンド１２にかかる遠心力よりも大きな値である。コイルエンド１２にかかる遠心力の範囲は、ロータコア１０の半径と、ロータ１の質量と、ロータ１の最高回転速度とから計算することができるので、ロータ１の仕様に合わせて、引き寄せ部２２による張力を設定することができる。
【００１３】
固定部材２０でコイルエンド１２を固定すれば、ロータ１が回転してコイルエンド１２に遠心力がかかったとしても、引き寄せ部２２が結束部２１をロータコア１０の径方向内側に向かって引き寄せることにより、遠心力によってコイルエンド１２がロータコア１０の径方向外側に向かって変形するのを防止できる。また、引き寄せ部２２が環形状であるので、引き寄せ部２２の内側の空間を有効利用できる。特に、ロータ１がダブルロータモータ４のインナーロータの場合、ロータコア１０の内側にブラケットを設け、ロータ１の回転を伝達するためのシャフトが当該ブラケットから延びる構成となるが、当該シャフトは、引き寄せ部２２の内側の空間を通って延びることができる。
【００１４】
このように、ロータ１のコイルエンド１２を複数の個所で結束する複数の結束部２１を、引き寄せ部２２がロータコア１０の径方向内側に向かって引き寄せることにより、コイルエンド１２がロータ１の回転時における遠心力によって変形するのを防止することができる。
【００１５】
この実施の形態では、引き寄せ部２２は環形状であったが、この形状に限定するものではない。ロータコア１０の中心に関して対向する２つの結束部２１同士を互いの方向に引っ張るものであってもよい。この場合には、ロータコア１０の中心付近で、引き寄せ部２２を構成する糸が交差するため、結束部２１が囲む空間を利用することはできないが、そのような必要がない場合には、このような形態を採用してもよい。
【００１６】
この実施の形態では、結束部２１及び引き寄せ部２２は糸であったが、糸の材質は繊維や樹脂等、非金属製のものであればどのようなものであってもよい。また、結束部２１及び引き寄せ部２２それぞれの本数は、ロータ１の仕様や糸の材質等に応じて適宜設定することができる。
【００１７】
この実施の形態では、ロータ１は、ダブルロータモータ４のインナーロータであったが、この形態に限定するものではない。どのような形式のモータのロータであってもよい。
【００１８】
この実施の形態では、固定部材２０は糸で形成されていたが、糸に限定するものではない。例えば、図３（ａ）及び（ｂ）に示されるように、円形状の孔３３が形成された樹脂製の六角形の引き寄せ部３２の外周に沿って、等間隔に樹脂製の６つの結束部３１を設けた固定部材３０であってもよい。結束部３１は、略半円形状の断面形状を有するように湾曲した形状を有しており、図４に示されるように、結束部３１は、コイルエンド１２に引っ掛かるように取り付けられて、コイルエンド１２を結束する。
【００１９】
固定部材３０でコイルエンド１２を固定すれば、ロータ１（図１参照）が回転してコイルエンド１２に遠心力がかかったとしても、引き寄せ部３２が結束部３１をロータコア１０（図１参照）の径方向内側に向かって引き寄せることにより、遠心力によってコイルエンド１２がロータコア１０の径方向外側に向かって変形するのを防止できる。引き寄せ部３２が結束部３１をロータコア１０の径方向内側に向かって引き寄せる力は、引き寄せ部３２の張力であるが、この張力は、引き寄せ部３２の材質や厚さ等のサイズを調整することにより調整可能である。前述したように、コイルエンド１２にかかる遠心力の範囲は、ロータ１の仕様により予め算出可能であるから、その算出値に基づいて、引き寄せ部３２の材質や厚さ等のサイズを調整すればよい。また、孔３３の空間を有効利用できる点は、固定部材２０と同じである。
【００２０】
尚、固定部材３０において、引き寄せ部３２の外周形状及び孔３３の形状並びに結束部３１の個数は適宜設定可能である。また、孔３３が必要なければ、引き寄せ部３２から孔３３を取り除いたものを使用してもよいし、または、各結束部３１に一端が接続された弾性材料からなるひも状の部材の他端を固定した構成のものを固定部材として使用してもよい。この場合には、当該ひも状の部材が引き寄せ部を構成する。
【符号の説明】
【００２１】
１  ロータ、２  第２のロータ、１０  ロータコア、１０ａ  （ロータコアの）端部、１１  コイル、１２  コイルエンド、２０，３０  固定部材、２１，３１  結束部、２２，３２  引き寄せ部。
【図１】
2016034195.tif 000003
【図２】
2016034195.tif 000004
【図３】
2016034195.tif 000005
【図４】
2016034195.tif 000006